(57)【特許請求の範囲】
【請求項１】
処理槽内に貯留した処理液中で用いられ、筒状のノズル本体内に循環経路から処理液が圧送され、該処理液を前記ノズル本体の軸先端部からその前方に向けて噴射する噴射ノズルであって、
前記ノズル本体の軸先端部を閉じる先端壁の外面に、軸方向視で軸中心側に凸の円弧状に延びる断面Ｖ字状のＶ字溝を一対に形成し、該各Ｖ字溝の長手方向中間部の底部に、それぞれ前記先端壁を貫通して前記ノズル本体内の圧送空間に至る軸方向視三日月形状の噴射口を形成したことを特徴とする噴射ノズル。
【請求項２】
前記ノズル本体が前記処理槽の底部に向けて斜めに処理液を噴射するべく傾斜して配置され、かつ前記各噴射口が上下に並ぶように配置されることを特徴とする請求項１に記載の噴射ノズル。
【請求項３】
槽内に貯留した処理液中にワークを浸漬して所定の処理を行う処理槽に用いられ、処理槽の底部に沈降した異物を除去する槽内異物除去装置であって、
前記底部の近傍に配設された請求項２に記載の噴射ノズルと、該噴射ノズルからの噴射により移動した前記異物を捕集するべく前記処理槽の底部における前記噴射の下流側に配設される異物捕集部と、該異物捕集部を通過した処理液中の異物を除去すると共に該処理液を前記噴射ノズルに圧送する循環経路と、を備えることを特徴とする槽内異物除去装置。
【請求項４】
前記底部には互いに平行に延びる複数の断面半円状のガイド溝が形成され、前記底部の近傍には前記循環経路における前記各ガイド溝の延在方向と交差して延びる分配管が配設され、該分配管における各ガイド溝の幅方向中央部の上方に位置する部位には、前記噴射ノズルがそれぞれ設けられることを特徴とする請求項３に記載の槽内異物除去装置。
【発明の詳細な説明】
【技術分野】
【０００１】
この発明は、処理槽内に貯留した処理液中で用いられる噴射ノズル及び該噴射ノズルを用いた槽内異物除去装置に関する。
【背景技術】
【０００２】
従来、溶接処理が施された自動車の車体には、溶接処理が施される前の各プレス成形品に付着した鉄粉や防錆油等の異物、そして溶接処理時に付着したスパッタ等の鉄粉が付着している。このため、塗装工程では、まず車体に付着した異物を洗浄し、次いで脱脂処理、表面調整処理、化成処理等の前処理工程を経て、当該車体が電着塗装工程、中塗り工程、上塗り工程へと進む。
前記前処理工程には、車体に付着した異物を洗浄除去するために多段の処理槽（ディップ槽）が配設されており、これら各処理槽の底部には車体に付着して持ち込まれた異物、特に鉄粉やスパッタ等の処理液に対して比重の大きい異物が沈降し堆積される。また、電着塗装工程においても、長期の使用により処理槽の底部に沈降性がある電着塗料の顔料成分等が沈降し固化することがあり、このような鉄粉、スパッタ、固化した顔料成分等が、処理液の対流や車体の槽内移動により巻き上げられて再び車体に付着して塗装不良を生じさせることを防止するために、処理槽の底部に配設したホッパに異物を捕集して該異物を処理液と共にポンプで処理槽外に吸引し、これらをフィルタでろ過することで前記異物を捕捉し除去している。
そして、処理槽の底部には、前記異物を除去した後の処理液を処理槽内に戻すべくホッパ側に向けて噴射する噴射ノズルが配設され、該噴射ノズルから噴射される処理液によって処理槽内に沈降し堆積された異物をホッパ内に捕集している。このとき、処理槽の底部に沈降した異物を巻き上げることなく確実にホッパに導く必要がある。
【０００３】  特許文献１参照には、噴出口を形成する噴射ノズルに対して同心状にベンチュリー管を臨ませ、噴射口からの流体噴射に伴うエゼクター作用により、ベンチュリー管内にその周囲の流体を吸入し、該吸入流体を噴射口からの噴射流体と共にベンチュリー管の先端開口から噴出することで、噴出流体の広がりを大きくしたエゼクターノズルを備えた電着槽が開示されている。  特許文献２には、液上で用いられる噴射ノズルにおいて、ノズル本体の噴射側の平坦状の頂面に、その直径方向に沿う溝を一対に形成し、該各溝の長さ方向中央部の底部には、それぞれノズル本体内の圧送空間に至る噴射口を形成し、該一対の噴射口より流体を噴射することで、各溝の幅方向の噴射範囲を広げて噴霧の幅（噴霧の厚さ）を大とすると共に、前記各溝の両側壁を頂面に向けて近接させることで、前記幅方向の噴霧を拡散させず噴霧範囲を所定幅に均等化させて噴霧量の均等化を図り、さらに各溝の長さ方向にも噴霧をガイドし、該長さ方向の噴射範囲を均等化すると共に噴霧量の均等化を図る噴射ノズルが開示されている。【特許文献１】実開平０１−１０６５７３号公報
【特許文献２】特開２００７−２３７０８６号公報
【発明の開示】
【発明が解決しようとする課題】
【０００４】
ところで、上記特許文献１の構成においては、処理液の噴出量が多く、かつエゼクターノズルから噴出された処理液の噴出パターンが略円錐形状となるため、噴出された処理液が処理槽の底部に衝突した際に拡散し易く、異物が巻き上げられて車体に付着して塗装不良を生じさせる虞がある。
上記特許文献２の構成においては、当該噴射ノズルを処理液中で用いると直進性が弱く、その噴出距離を増大させるには、ノズルに対する処理液の供給量を増加させると共に所定の圧力で噴出させるための循環ポンプを大型化する必要があり、コスト高になり易い。またこの場合、噴出された処理液が処理槽の底部に衝突した際に拡散し易く、異物が巻き上げられて車体に付着して塗装不良を生じさせる虞がある。
【０００５】
そこでこの発明は、処理液の循環ポンプの大型化等を抑えた上で噴出量を増加させ、噴射ノズルから噴射される処理液の噴出幅、噴出厚さ及び噴出距離を増大させて、異物を巻き上げることなく良好に除去できる噴射ノズル及び該噴射ノズルを用いた槽内異物処理装置を提供する。
【課題を解決するための手段】
【０００６】
上記課題の解決手段として、請求項１に記載した発明は、処理槽（例えば実施例の処理槽９）内に貯留した処理液（例えば実施例の処理液１０）中で用いられ、筒状のノズル本体（例えば実施例のノズル本体２）内に循環経路（例えば実施例の循環経路２２）から処理液が圧送され、該処理液を前記ノズル本体の軸先端部からその前方に向けて噴射する噴射ノズル（例えば実施例の噴射ノズル１）であって、前記ノズル本体の軸先端部を閉じる先端壁（例えば実施例の先端壁４）の外面に、軸方向視で軸中心側に凸の円弧状に延びる断面Ｖ字状のＶ字溝（例えば実施例のＶ字溝５）を一対に形成し、該各Ｖ字溝の長手方向中間部の底部に、それぞれ前記先端壁を貫通して前記ノズル本体内の圧送空間（例えば実施例の圧送空間３）に至る軸方向視三日月形状の噴射口（例えば実施例の噴射口６）を形成したことを特徴とする。
【０００７】
請求項２に記載した発明は、前記ノズル本体が前記処理槽の底部（例えば実施例の底部１４）に向けて斜めに処理液を噴射するべく傾斜して配置され、かつ前記各噴射口が上下に並ぶように配置されることを特徴とする。
【０００８】
請求項３に記載した発明は、槽内に貯留した処理液（例えば実施例の処理液１０）中にワーク（例えば実施例のワークＷ）を浸漬して所定の処理を行う処理槽（例えば実施例の処理槽９）に用いられ、処理槽の底部（例えば実施例の底部１４）に沈降した異物を除去する槽内異物除去装置（例えば実施例の槽内異物除去装置２０）であって、前記底部の近傍に配設された請求項２に記載の噴射ノズル（例えば実施例の噴射ノズル１）と、該噴射ノズルからの噴射により移動した前記異物を捕集するべく前記処理槽の底部における前記噴射の下流側に配設される異物捕集部（例えば実施例のホッパ１１）と、該異物捕集部を通過した処理液中の異物を除去すると共に該処理液を前記噴射ノズルに圧送する循環経路（例えば実施例の循環経路２２）と、を備えることを特徴とする。
【０００９】
請求項４に記載した発明は、前記底部には互いに平行に延びる複数の断面半円状のガイド溝（例えば実施例のガイド溝１５）が形成され、前記底部の近傍には前記循環経路における前記各ガイド溝の延在方向と交差して延びる分配管（例えば実施例の分配管１９）が配設され、該分配管における各ガイド溝の幅方向中央部の上方に位置する部位には、前記噴射ノズルがそれぞれ設けられることを特徴とする。
【発明の効果】
【００１０】
請求項１，２に記載した発明によれば、各噴射口から噴射された処理液は、各Ｖ字溝にガイドされつつ各噴射口の軸方向視形状と同様の三日月形状の領域に噴射される。
このとき、各噴射口からの噴射領域における各三日月形状の内周側の領域、及び各噴射口からの噴射領域における各三日月形状の相対する端部間の領域といった、各噴射口からの噴射領域の周囲における軸方向視凹状の領域にある処理液が、各噴射口からの噴射に伴うエゼクター作用（吸引作用）により、各噴射口から噴射した処理液と共に流れて一体の噴射流となる。このため、循環経路（循環ポンプ）の容量を上げなくとも全体の噴出量が増加し、噴射ノズルからの噴射流の噴出幅及び噴出厚さを増大させる。
そして、当該噴射ノズルを処理槽の底部に沈降した異物の除去に使用する場合において、ノズル本体が各噴射口を上下に配した傾斜姿勢に配置されて、処理槽の底部に向けて斜めに処理液を噴射することで、下側（底部に近い側）の噴射口からの噴射流が上側（底部から遠い側）の噴射口からの噴射流よりも先に底部に衝突した際に、該衝突による拡散や巻き上げが上側の噴射口からの噴射流により押さえ込まれ、かつ上側の噴射口からの噴射流の底部への衝突も緩和される。このため、噴射ノズルからの噴射流の直進性が高まって噴出距離を増大させる。
このように、処理液の循環ポンプの大型化等を抑えた上で噴射ノズルの噴出量を増加させ、該噴射ノズルからの処理液の噴出幅及び噴出厚さを増大させ、かつ噴射ノズルからの噴出流の直進性を高めて噴出距離を増大させることで、処理槽の底部に沈降した異物を巻き上げることなく広範囲に渡って良好に除去できると共に、噴射ノズルの個数を削減してコストダウンを図ることができる。
【００１１】
請求項３に記載した発明によれば、処理槽の底部の近傍に配設された前記噴射ノズルから、前述の如く処理液の噴出量を増加させつつ噴出幅、噴出厚さ及び噴出距離を増大させた噴射がなされると、処理槽の底部に沈降した異物が異物捕集部に良好に捕集される。異物捕集部を通過した異物及び処理液は循環経路で分離され、異物を除去した後の処理液は循環ポンプを経て噴射ノズルへ圧送され、該噴射ノズルから再度噴射されて前記異物の捕集に供される。このような処理液の循環により処理槽の底部への異物の沈降をなくすことで、当該処理液による所定の処理を良好に行うことができる。
【００１２】
請求項４に記載した発明によれば、各噴射ノズルから処理液を噴射すると、該処理液は一旦各ガイド溝の幅方向中央部（底部）に至った後、その断面形状に沿って幅方向両側に広がりながら噴射方向下流側に斜めに流れ、その後に各ガイド溝の幅方向両側に沿って噴射方向下流側に流れる。このとき、隣接するガイド溝同士で噴射方向下流側への流れを強め合い、該流れに乗って移動する異物を噴射方向下流側すなわち異物捕集部に向けて良好に導くことができる。
【発明を実施するための最良の形態】
【００１３】
以下、この発明の実施例について図面を参照して説明する。
図１〜４に示す噴射ノズル１は、図５他に示す処理槽９内に貯留した処理液１０中で用いられるもので、循環経路２２から圧送された処理液を噴射して処理槽９の底部１４（底面）に沈降堆積した異物をホッパ１１（異物捕集部）内に導くものである。処理槽９は、例えば溶接処理が施された自動車の車体等のワークＷを処理液１０に浸漬し搬送しながら、該ワークＷの洗浄や脱脂あるいは電着塗装等の処理を施すものである。
【００１４】
図１〜４に示すように、噴射ノズル１は、筒状のノズル本体２内に循環経路２２から処理液を圧送し、該処理液を前記ノズル本体２の軸先端部からその前方に向けて噴射する。ノズル本体２の軸先端部を閉じる先端壁４の外面には、軸方向視で軸中心側に凸の円弧状に延びる断面Ｖ字状のＶ字溝５が一対に形成され、該各Ｖ字溝５の長手方向中間部の底部には、それぞれ前記先端壁４を貫通して前記ノズル本体２内の圧送空間３に至る軸方向視三日月形状の噴射口６が形成される。前記圧送空間３は、ノズル本体２の中心軸線Ｌに沿う円柱状をなして該ノズル本体２の基端側に開放する。Ｖ字溝５を形成する一対の内壁面は、基端側すなわち圧送空間３側ほど相寄る方向に傾斜している。
【００１５】
噴射ノズル１は、ノズル本体２の基端側外周にネジ山を刻設してネジ部７とし、該ネジ部７を用いて前記循環経路２２の下流側に設けられた分配管１９に着脱可能に取り付けられる。このとき、噴射ノズル１は、シムやロックナットを介装する等により、ノズル本体２が処理槽９の底部１４に向けて斜めに処理液を噴射するべく側面視で傾斜して配置され（図９参照）、かつ各噴射口６が上下に並ぶように配置される。なお、図中符号８は分配管１９への締結用に噴射ノズル１の軸方向中間部に形成されたナット部を示す。
【００１６】
噴射ノズル１は、ノズル本体２の中心軸線Ｌをワーク搬送方向（図中矢印Ｆで示す）と略平行とし、かつノズル本体２の先端壁４をワーク搬送方向上流側に向け、さらにノズル本体２の中心軸線Ｌが処理槽９の底部１４に対してワーク搬送方向上流側（噴射方向上流側）ほど底部１４側となるように前述の如く側面視で傾斜して配置される。
【００１７】
そして、図５に示すように、噴射ノズル１を処理液１０中に浸漬し、底部１４近傍にて前述の如く側面視で傾斜して配置した状態で、該噴射ノズル１の圧送空間３内に処理液を圧送し、該処理液を各噴射口６から噴射することで、その噴射流が底部１４に上方かつワーク搬送方向下流側から斜めに噴き付けられ、該底部１４上に沈降した異物をワーク搬送方向上流側に押し流す。底部１４におけるワーク搬送方向上流側には前記ホッパ１１が設けられ、該ホッパ１１内に前記押し流された異物が捕集される。
【００１８】
再び図１〜４を参照し、ノズル本体２の前記先端壁４の外面（ノズル本体２の先端面、頂面）は、その外周の面取り部４ａを除き軸方向と直交する平坦面とされ、この外面における略水平な直径を対称軸として上下一対の前記Ｖ字溝５が形成される。Ｖ字溝５の長手方向両端は先端壁４外周の面取り部４ａの外面に至りその外周側に開放する。
圧送空間３の先端側には半球状の膨出部３ａが形成され、該膨出部３ａが各Ｖ字溝５の長手方向中間部の底部を軸方向視三日月形状に切り欠くことで、先端壁４を貫通する前記各噴射口６が形成される。
【００１９】
次に、上記噴射ノズル１の作用について説明する。
噴射ノズル１は、前述の如く各噴射口６を上下に配置し側面視で傾斜した姿勢で、処理槽９内の処理液１０中に浸漬されて底部１４近傍に配置される。この噴射ノズル１から噴射された処理液は、各Ｖ字溝５にガイドされつつ各噴射口６の軸方向視形状と同様の三日月形状の領域に噴射される。
【００２０】
このとき、各噴射口６からの噴射領域における各三日月形状の内周側（上側の噴射口６の上方及び下側の噴射口６の下方）の領域、及び各噴射口６からの噴射領域における各三日月形状の左右端部の相対する端部間の領域といった、各噴射口６の噴射領域の周囲（上下左右）における軸方向視凹状の領域にある処理液が、各噴射口６からの噴射に伴うエゼクター作用（吸引作用）により図２中矢印Ｇの如く吸引され、各噴射口６から噴射した処理液と共に流れて一体の噴射流となる。このため、循環経路２２（循環ポンプ２１）の容量を上げなくとも全体の噴出量が増加し、噴射ノズル１からの噴射流の噴出幅及び噴出厚さを増大させる。
【００２１】
そして、前述の如くノズル本体２が各噴射口６を上下に配した傾斜姿勢に配置されて、処理槽９の底部１４に向けて斜めに処理液を噴射することで、下側（底部１４に近い側）の噴射口６からの噴射流が上側（底部１４から遠い側）の噴射口６からの噴射流よりも先に底部１４に衝突した際に、該衝突による拡散や巻き上げが上側の噴射口６からの噴射流により押さえ込まれ、かつ上側の噴射口６からの噴射流の底部１４への衝突も緩和される。このため、噴射ノズル１からの噴射流の直進性が高まって噴出距離を増大させる。
【００２２】
図９を参照し、噴射ノズル１の底部１４に対する傾斜角度（ノズル本体２の中心軸線Ｌの傾斜角度）αについては、該角度αが１０°に満たないと、処理液に対して比重の大きな異物をホッパ１１に向けて押し流すことが困難になり、処理槽９の底部１４に沈降した異物を捕集困難になる。
一方、前記角度αが６０°を超えると、噴射された処理液が底部１４に衝突した際に沈降した異物を巻き上げ、該異物がワークＷに付着するという不具合を生じさせる。
そこで、前記角度αを１０°以上６０°未満、好ましくは２０°〜３０°の範囲に設定することで、異物の巻き上げを抑えつつこれをホッパ１１に良好に導くことができる。
【００２３】
次に、上記噴射ノズル１を備えた槽内異物除去装置２０について図５，６を参照して説明する。
槽内異物除去装置２０は、前記処理槽９の底部１４の近傍に配設された前記噴射ノズル１と、該噴射ノズル１からの噴射により移動した前記異物を捕集するべく処理槽９の底部１４における前記噴射の下流側に配設された前記ホッパ１１と、該ホッパ１１を通過した処理液中の異物を除去すると共に該処理液を噴射ノズル１に圧送する前記循環経路２２とを有してなる。循環経路２２には、処理液を循環させると共に噴射ノズル１側に圧送する循環ポンプ２１が配設される。なお、図５中符号２３は異物と共にホッパ１１を通過した処理液をろ過して前記異物を除去するフィルタを示す。
【００２４】
処理槽９の底部１４には、ワーク搬送方向下流側から順に、ワーク搬送方向下流側ほど上方に位置するように傾斜する傾斜部１４ａ、略水平な水平部１４ｂ、及び前記ホッパ１１が設けられる。処理槽９の上方には、ワークＷを吊り下げた状態で搬送する搬送コンベア１３が配設される。
【００２５】
図７，８を併せて参照し、処理槽９の傾斜部１４ａ及び水平部１４ｂには、ワーク搬送方向に沿って延びる断面半円状のガイド溝１５が複数形成される。各ガイド溝１５は、処理槽９におけるワーク搬送方向と直交する幅方向で互いに隣接するもの同士でその側縁１５ａを共有するように近接して配置される。
処理槽９の底部１４は、例えばプレス成形により製作された凹凸形状（複数の樋形状が並設された形状）を有する鋼板部材１６をワーク搬送方向で複数並べ、これら鋼板部材１６を互いに溶接結合し一体化することで形成される。なお、図中符号１７は各鋼板部材１６の外郭を裏面側から補強する補強部材を示す。
【００２６】
ガイド溝１５の断面形状は、前記幅方向に長径を、高さ方向（深さ方向）に短径をそれぞれ配した楕円形状の下部に相当する。なお、前記楕円形状の長径及び短径の比は１：１から８：１までの範囲内であることが望ましい。また、ガイド溝１５の高さＨ（深さ）は前記楕円形状の短径の半分以下である。
【００２７】
処理槽９の傾斜部１４ａ及び水平部１４ｂにおける前記幅方向の一側には、前記循環経路２２における傾斜供給管１８ａ及び水平供給管１８ｂがそれぞれ配設される。
各供給管１８ａ，１８ｂはそれぞれ傾斜部１４ａ及び水平部１４ｂの近傍でこれらに沿って延び、これら各供給管１８ａ，１８ｂからは、各ガイド溝１５の近傍（直ぐ上方）においてこれらに跨るように複数の前記分配管１９が前記幅方向に沿って延びる。
各分配管１９はワーク搬送方向で略等間隔となるように配設され、かつ各ガイド溝１５両側の山状の側縁１５ａに当接するように配設される。これら各分配管１９における各ガイド溝１５の幅方向中央部の上方に位置する部位には、前記噴射ノズル１がそれぞれ取り付けられる。
【００２８】
次に、上記槽内異物除去装置２０の作用について説明する。
まず、処理槽９の底部１４の近傍に配設された複数の噴射ノズル１から、前述の如く処理液の噴出量を増加させつつ噴出幅、噴出厚さ及び噴出距離を増大させた噴射がなされると、処理槽９の底部１４に沈降した異物がホッパ１１に良好に捕集される。ホッパ１１を通過した異物及び処理液は循環経路２２のフィルタ２３で分離され、異物を除去した後の処理液は循環ポンプ２１を経て各噴射ノズル１へ圧送され、該各噴射ノズル１から再度噴射されて前記異物の捕集に供される。このような処理液の循環により処理槽９の底部１４への異物の沈降をなくすことで、当該処理液による所定の処理を良好に行うことができる。
【００２９】
また、図１０を併せて参照し、各噴射ノズル１から処理液を噴射すると、該処理液は一旦各ガイド溝１５の幅方向中央部（底部）に至った後、その断面形状に沿って幅方向両側に広がりながら噴射方向下流側に斜めに流れ、その後に各ガイド溝１５の幅方向両側に沿って噴射方向下流側に流れる。このとき、隣接するガイド溝１５同士で噴射方向下流側への流れを強め合い、かつ該流れをワーク搬送方向で略等間隔に並ぶ噴射ノズル１により順次生じさせながら、該流れに乗って移動する異物を噴射方向下流側すなわちホッパ１１に向けて良好に導くことができる。
【００３０】
以上説明したように、上記実施例における噴射ノズル１は、処理槽９内に貯留した処理液１０中で用いられ、筒状のノズル本体２内に循環経路２２から処理液が圧送され、該処理液を前記ノズル本体２の軸先端部からその前方に向けて噴射するものであって、前記ノズル本体２の軸先端部を閉じる先端壁４の外面に、軸方向視で軸中心側に凸の円弧状に延びる断面Ｖ字状のＶ字溝５を一対に形成し、該各Ｖ字溝５の長手方向中間部の底部に、それぞれ前記先端壁４を貫通して前記ノズル本体２内の圧送空間３に至る軸方向視三日月形状の噴射口６を形成したものであり、かつ前記ノズル本体２が前記処理槽９の底部１４に向けて斜めに処理液を噴射するべく傾斜して配置され、かつ前記各噴射口６が上下に並ぶように配置されるものである。
【００３１】
この構成によれば、処理液の循環ポンプ２１の大型化等を抑えた上で噴射ノズル１の噴出量を増加させ、該噴射ノズル１からの処理液の噴出幅及び噴出厚さを増大させ、かつ噴射ノズル１からの噴出流の直進性を高めて噴出距離を増大させることで、処理槽９の底部１４に沈降した異物を巻き上げることなく広範囲に渡って良好に除去できると共に、噴射ノズル１の個数を削減してコストダウンを図ることができる。
【００３２】
また、上記槽内異物除去装置２０は、槽内に貯留した処理液１０中にワークＷを浸漬して所定の処理を行う処理槽９に用いられ、処理槽９の底部１４に沈降した異物を除去するものであって、前記底部１４の近傍に配設された前記噴射ノズル１と、該噴射ノズル１からの噴射により移動した前記異物を捕集するべく前記処理槽９の底部１４における前記噴射の下流側に配設されるホッパ１１と、該ホッパ１１を通過した処理液中の異物を除去すると共に該処理液を前記噴射ノズル１に圧送する循環経路２２と、を備えるものである。
【００３３】
この構成によれば、前記噴射ノズル１を用いた処理液の噴射及び処理液の循環により処理槽９の底部１４への異物の沈降を無くし、当該処理液による所定の処理を良好に行うことができる。
【００３４】
また、上記槽内異物除去装置２０は、前記底部１４には互いに平行に延びる複数の断面半円状のガイド溝１５が形成され、前記底部１４の近傍には前記循環経路２２における前記各ガイド溝１５の延在方向と交差して延びる複数の分配管１９が配設され、該各分配管１９における各ガイド溝１５の幅方向中央部の上方に位置する部位には、前記噴射ノズル１がそれぞれ設けられるものである。
【００３５】
この構成によれば、隣接するガイド溝１５同士で噴射方向下流側への流れを強め合い、かつ該流れをワーク搬送方向で等間隔に並ぶ噴射ノズル１により順次生じさせながら、該流れに乗って移動する異物を噴射方向下流側すなわちホッパ１１に向けて良好に導くことができる。
【００３６】
なお、この発明は上記実施例に限られるものではなく、例えば、底部１４にガイド溝１５（凹凸形状）を有さず平坦にした処理槽９に適用してもよい。この場合、前記分配管１９は底部１４に当接せず所定量上方に離間することとなる。また、前記水平部１４ｂに代わりホッパ１１側ほど低くなる等傾斜した第二の傾斜部を有する処理槽９に適用してもよい。
また、各噴射ノズル１の底部１４に対する傾斜角度αを前述の如く１０°以上６０°未満の範囲外とし、底部１４に衝突した処理液を巻き上げるようにすることも可能であり、この場合、当該噴射ノズル１を処理液の拡散を要する電着塗装用の処理槽９等に適用可能となる。すなわち、噴射ノズル１は処理槽９内の異物除去のみに用いられるものではなく、処理液中での該処理液の噴射全般に用いることが可能である。
そして、上記実施例における構成はこの発明の一例であり、当該発明の要旨を逸脱しない範囲で形状、材料、大きさ、数量及び配置等を変更可能であることはいうまでもない。
【図面の簡単な説明】
【００３７】
【図１】この発明の実施例における噴射ノズルの側面図である。
【図２】図１のＡ矢視図である。
【図３】図１のＢ−Ｂ断面図である。
【図４】図２のＣ矢視図である。
【図５】上記噴射ノズルを備えた処理槽及び槽内異物除去装置の側面図である。
【図６】上記処理槽の上面図である。
【図７】図６のＤ−Ｄ断面図である。
【図８】図７の部分拡大図である。
【図９】図６のＥ−Ｅ断面図である。
【図１０】上記処理槽内の処理液の流れを示す上面図である。
【符号の説明】
【００３８】
１  噴射ノズル
２  ノズル本体
３  圧送空間
４  先端壁
５  Ｖ字溝
６  噴射口
９  処理槽
１０  処理液
１１  ホッパ（異物捕集部）
１４  底部
１５  ガイド溝
１９  分配管
２２  循環経路
Ｗ  ワーク
【図１】
0005139888.tif 000002
【図２】
0005139888.tif 000003
【図３】
0005139888.tif 000004
【図４】
0005139888.tif 000005
【図５】
0005139888.tif 000006
【図６】
0005139888.tif 000007
【図７】
0005139888.tif 000008
【図８】
0005139888.tif 000009
【図９】
0005139888.tif 000010
【図１０】
0005139888.tif 000011